(57)【要約】      （修正有）【課題】発電効率を良好にするとともに、持運びも簡便な太陽電池パネル装置を提供する。【解決手段】台車１０は、軽量のキャリーカート形に構成されている。台車１０は、水平の荷台フレーム１１の後端に後フレーム１２を立てて手摺枠１３を着脱可能に付設するとともに、後フレーム１２の下端に車輪１４、１４を取り付け、荷台フレーム１１の前端に支持脚１５を取り付けている。各太陽電池パネル２０は、四周にアルミニウムの枠材２５、２５…を装着することにより、ほぼ正方形のスーパーストレート構造に構成されている。太陽電池パネル２０、２０…は、左右の連結部材３１、３１…を介して伸縮可能に連結されている。各連結部材３１は、両側にフランジを突出させて断面ハット形に形成するとともに、長手方向に長孔３１ｂ、３１ｂ…を一列に開口して軽量の棒状に形成されている。【選択図】図１
0003194013.tif 000002
【実用新案登録請求の範囲】
【請求項１】
キャリーカート形の台車と、該台車に積載する複数の太陽電池パネルとを備えてなり、前記太陽電池パネルは、左右の連結部材を介して伸縮可能に連結し、前記台車上において互いに密着させて起立するように折り畳み、前記台車の前方側に一定の仰角に展開可能であることを特徴とする太陽電池パネル装置。
【請求項２】
前記各太陽電池パネルは、展開状態の仰角を調節可能とすることを特徴とする請求項１記載の太陽電池パネル装置。
【請求項３】
前記各太陽電池パネルは、上端縁に把手を付設することを特徴とする請求項１または請求項２記載の太陽電池パネル装置。
【請求項４】
前記各太陽電池パネルは、前記台車上において全数を一括することを特徴とする請求項１ないし請求項３のいずれか記載の太陽電池パネル装置。
【請求項５】
前記各太陽電池パネルは、充放電コントローラ、蓄電池、インバータを内蔵する可搬の制御箱と組み合わせることを特徴とする請求項１ないし請求項４のいずれか記載の太陽電池パネル装置。
【考案の詳細な説明】
【技術分野】
【０００１】
この考案は、独立形の電源装置として簡便に使用可能な可搬形の太陽電池パネル装置に関する。
【背景技術】
【０００２】
災害時の非常用電源や、キャンプなどの野外活動などのために、商用電源がない場所において独立形の電源として使用可能な可搬形の太陽光発電装置が知られている（たとえば特許文献１）。
【０００３】
従来の可搬形の太陽光発電装置は、ヒンジを介して連結する本体部、蓋部を有するケースに複数の太陽電池パネルを収納するとともに、充放電コントローラ、蓄電池、インバータなどの必要な電気部材をケース内に併せて収納して構成されている。太陽電池パネルは、互いに対称形に構成する本体部、蓋部にそれぞれ所定枚数ずつを上下に平行に折り畳んで収納し、使用時には、１８０°に開放する本体部、蓋部を台座として、全数を地表と平行な平面状に広げて太陽光を受光させ、発電することができる。
【先行技術文献】
【特許文献】
【０００４】
【特許文献１】特開２０１３−１５３００８号公報
【考案の概要】
【考案が解決しようとする課題】
【０００５】
かかる従来技術によるときは、太陽電池パネルは、地表と平行な平面状に広げて発電するため、太陽光の受光効率が必ずしも良好でなく、発電効率が低いという問題があった。また、太陽電池パネルと必要な電気部材とを共通のケースに内蔵させるので、全体重量が大きくなり、取扱いが面倒になりがちであるという問題もあった。
【０００６】
そこで、この考案の目的は、かかる従来技術の問題に鑑み、キャリーカート形の台車に積載する太陽電池パネルを台車の前方側に展開可能とすることによって、発電効率が良好であり、持運びも簡便な可搬形の太陽電池パネル装置を提供することにある。
【課題を解決するための手段】
【０００７】
かかる目的を達成するためのこの考案の構成は、キャリーカート形の台車と、台車に積載する複数の太陽電池パネルとを備えてなり、太陽電池パネルは、左右の連結部材を介して伸縮可能に連結し、台車上において互いに密着させて起立するように折り畳み、台車の前方側に一定の仰角に展開可能であることをその要旨とする。
【０００８】
なお、各太陽電池パネルは、展開状態の仰角を調節可能とすることができる。
【０００９】
また、各太陽電池パネルは、上端縁に把手を付設してもよく、台車上において全数を一括してもよく、充放電コントローラ、蓄電池、インバータを内蔵する可搬の制御箱と組み合わせてもよい。
【考案の効果】
【００１０】
かかる考案の構成によるときは、複数の太陽電池パネルは、左右の連結部材を介して交互に上下に連結され、いわばジグザグ状または蛇腹状に伸縮可能である。また、太陽電池パネルは、台車上において互いに密着して起立するように折り畳むことにより、台車上にコンパクトに積載することができ、台車の前方側に一定の仰角に展開可能であるから、展開方向を太陽に向けて仰角を適切に設定することにより、受光効率を良好にして発電効率を向上させることができる。加えて、台車は、軽量のキャリーカート形であり、台車上には、太陽電池パネル以外の電気部材を積載しないから、全体重量も軽量であり、持運びも容易である。
【００１１】
各太陽電池パネルは、展開状態の仰角を調節可能とすることにより、太陽の高さの変化に合わせて仰角を調整してセットすることができる。また、各太陽電池パネルは、上端縁に把手を付設すると、台車上から地上に降ろして展開させ、地上から台車上に戻すなどの際に、把手を使用して作業を一層容易にすることができる。
【００１２】
各太陽電池パネルは、全数を台車上に一括することにより、台車上に安定に積載し、安全に運搬することができる。
【００１３】
なお、各太陽電池パネルは、別置の可搬の制御箱内の充放電コントローラ、蓄電池、インバータと組み合わせ、任意の交流用の電気機器用の独立形の電源装置として使用することができる。
【図面の簡単な説明】
【００１４】
【図１】展開状態を示す全体斜視図（１）
【図２】積載状態を示す全体斜視図（１）
【図３】図１の要部拡大断面説明図
【図４】積載状態を示す全体斜視図（２）
【図５】展開状態を示す全体斜視図（２）
【図６】電気系統ブロック図
【図７】他の実施の形態を示す模式側面図（１）
【図８】他の実施の形態を示す模式側面図（２）
【図９】他の実施の形態を示す要部斜視図（１）
【図１０】他の実施の形態を示す要部斜視図（２）
【考案を実施するための形態】
【００１５】
以下、図面を以って考案の実施の形態を説明する。
【００１６】
太陽電池パネル装置は、台車１０と、複数の太陽電池パネル２０、２０…とを備えてなる（図１、図２）。
【００１７】
台車１０は、軽量のキャリーカート形に構成されている。台車１０は、水平の荷台フレーム１１の後端に後フレーム１２を立てて手摺枠１３を着脱可能に付設するとともに、後フレーム１２の下端に車輪１４、１４を取り付け、荷台フレーム１１の前端に支持脚１５を取り付けている。なお、台車１０は、折畳み式であってもよい。
【００１８】
各太陽電池パネル２０は、四周にアルミニウムの枠材２５、２５…を装着することにより、ほぼ正方形のスーパーストレート構造に構成されている（図１、図３（Ａ））。ただし、図３（Ａ）、（Ｂ）は、それぞれ図１のＸ−Ｘ線、Ｙ−Ｙ線矢視相当要部拡大断面図である。
【００１９】
太陽電池パネル２０は、中間の太陽電池セルの封止層２１の上面、下面にそれぞれ白板強化ガラス２２、バックシート２３を積層するとともに、シール材２４を介して内向きのフランジ２５ａ、２５ａ付きの枠材２５、２５…が四周に装着されている。封止層２１は、所定数の太陽電池セルを直並列に接続し、たとえば透明なＥＶＡ（エチレンビニルアセテート）、ＰＶＢ（ポリビニルブチラール）などの封止材によって封止されている。バックシート２３は、たとえばＰＶＦ（ポリフッ化ビニル）、ＰＥＴ（ポリエチレンテレフタレート）、ＰＥ（ポリエチレン）などの樹脂フィルムとアルミニウムフォイルなどの複合シートによって形成されている。ただし、封止層２１内の太陽電池セルの両端は、バックシート２３上の図示しない端子台に引き出すものとする。
【００２０】
太陽電池パネル２０、２０…は、左右の連結部材３１、３１…を介して伸縮可能に連結されている（図１、図３（Ｂ））。各連結部材３１は、両側にフランジ３１ａ、３１ａを突出させて断面ハット形に形成するとともに、長手方向に長孔３１ｂ、３１ｂ…を一列に開口して軽量の棒状に形成されている。台車１０側の最後部の連結部材３１、３１の一端は、台車１０の荷台フレーム１１上の横材１６の両端に回転自在に連結され、他端は、最後部の太陽電池パネル２０の側端面の上端部に回転自在に連結されている。また、前後２枚の太陽電池パネル２０、２０間の連結部材３１、３１は、後の太陽電池パネル２０の側端面の下端部、前の太陽電池パネル２０の側端面の上端部に対し、それぞれ回転自在に連結されている。
【００２１】
そこで、太陽電池パネル２０、２０…は、互いに密着させて起立させるようにして台車１０上にコンパクトに積載することができる（図２、図４）。なお、台車１０上の太陽電池パネル２０、２０…は、たとえば伸縮性の紐材１７を二重にして台車１０の荷台フレーム１１の前端と手摺枠１３との間に掛けることにより、全数を一括して台車１０上に安定に積載することができる。
【００２２】
一方、太陽電池パネル２０、２０…は、連結部材３１、３１…を介して台車１０の前方側の地上に蛇腹状に展開することができる（図１、図５）。このとき、台車１０の方向、すなわち太陽電池パネル２０、２０…の展開方向を太陽の方向に向けるとともに、各太陽電池パネル２０の仰角θをほぼ一定に揃え、太陽電池パネル２０、２０…に太陽光をほぼ垂直に入光させることにより、最良の受光効率、発電効率を実現することができる。ただし、各太陽電池パネル２０の出力電力は、別置の可搬形の制御箱４０に内蔵する逆流防止用のダイオードＤ、充放電コントローラ４１、蓄電池４２、インバータ４３を介して任意の交流用の電気機器の負荷Ｌに給電する（図６）。なお、図６の充放電コントローラ４１は、制御部４１ａ、スイッチング素子Ｓ1 、Ｓ2 を有し、蓄電池４２の過充電、過放電を防止する。
【他の実施の形態】
【００２３】
各太陽電池パネル２０は、調節部材３２を介し、展開状態における仰角θを適切に調節してセットすることができる（図７）。
【００２４】
調節部材３２は、たとえば鎖、ワイヤ、可撓性の線材、紐材などの伸縮性がない細い可撓性部材であって、太陽電池パネル２０の一側端面の下端部に一端を連結するとともに、その太陽電池パネル２０の後方の連結部材３１の中間部に他端を連結することにより、直線状に緊張させて太陽電池パネル２０の仰角θを設定する。なお、調節部材３２は、たとえば後方の連結部材３１側の端部の余裕長さを調節して全体の有効長さを可変することにより、仰角θを任意に調節することができる。また、太陽電池パネル２０、２０…を台車１０上に折り畳んで積載すると（図８）、調節部材３２、３２…も、併せてコンパクトに台車１０上にまとめることができる。
【００２５】
各太陽電池パネル２０は、上端縁に把手２６を付設してもよい（図９）。把手２６は、太陽電池パネル２０、２０…を台車１０の前方側に展開させるとき、展開状態の太陽電池パネル２０、２０…を台車１０上に戻すときなどのいずれの場合にも、太陽電池パネル２０を移動させ、取り扱うために便利に使用することができる。なお、把手２６は、図示以外の任意の形状に変更可能である。
【００２６】
台車１０上の太陽電池パネル２０、２０…は、いわゆるスナップ錠（パッチン錠またはパチン錠ともいう、以下同じ）２７を介し、全数を一括してまとめてもよい（図１０）。ただし、図１０において、台車１０上には、把手２６付きの４枚の太陽電池パネル２０、２０…が積載されている。また、スナップ錠２７は、左右の圧縮ばねを有するキャッチクリップ形であり、延長フック２７ａを介して最後部、最前部の２枚の太陽電池パネル２０、２０の間に中間の太陽電池パネル２０、２０を挟み込むようにして掛け外し自在にロックすることができる。なお、スナップ錠２７は、把手２６、２６…を挟む反対側にも対称的に設けてもよい。ただし、図１０では、太陽電池パネル２０、２０…を一括する紐材１７が併せて図示されているが、スナップ錠２７、紐材１７は、その一方だけを採用してもよい。
【００２７】
以上の説明において、太陽電池パネル２０、２０…は、２枚以上の任意の枚数を使用することができる。また、各太陽電池パネル２０は、正方形、縦長または横長の長方形のいずれであってもよく、全数を同形、同大に揃えるものとする。さらに、台車１０は、太陽電池パネル２０、２０…を起立させて積載可能であれば、図示以外の任意の形式であってもよい。
【産業上の利用可能性】
【００２８】
この考案は、発電効率がよく、持運びが容易であるから、任意の電気機器用の独立形の電源装置として広く好適に適用することができる。
【符号の説明】
【００２９】
θ…仰角
１０…台車
２０…太陽電池パネル
２６…把手
３１…連結部材
実用新案登録出願人      アクソンデータマシン株式会社
【図１】
0003194013.tif 000003
【図２】
0003194013.tif 000004
【図３】
0003194013.tif 000005
【図４】
0003194013.tif 000006
【図５】
0003194013.tif 000007
【図６】
0003194013.tif 000008
【図７】
0003194013.tif 000009
【図８】
0003194013.tif 000010
【図９】
0003194013.tif 000011
【図１０】
0003194013.tif 000012